(57)【特許請求の範囲】
【請求項１】
ランドスケープ原稿およびポートレート原稿を対にし、それらに対する１カ所止めおよび２カ所止めのステープル位置につき、複数の組み合わせを表示する表示手段と、
前記複数の組み合わせの中から所望のステープル位置となる組み合わせを選択するステープル位置選択手段と、
載置された原稿のサイズを検知する原稿サイズ検知手段と、
前記原稿サイズ検知手段により検知された原稿のサイズに応じて転写材を選択する転写材選択手段と、
前記ステープル位置選択手段で選択された前記組み合わせ、および前記選択された転写材に応じて画像データに画像処理を施す画像処理手段と、
前記画像処理手段により画像処理が施された画像データに基づいて前記転写材に画像を形成する画像形成手段と、
前記ステープル位置選択手段で選択された前記組み合わせに基づいて前記転写材に所定位置でステープルするステープル手段と、
を有し、
前記画像処理手段は、前記ステープル位置選択手段で選択される前記ステープル位置と前記ステープル手段での前記所定位置とが合致するように、前記画像データに画像処理を施すことを特徴とする画像形成装置。
【請求項２】
前記ステープル手段は、前記転写材のいずれかの片端部にのみステープルするものであり、
前記画像形成装置は、さらに、前記ステープル手段を前記片端部に沿った方向に移動させる移動機構を有し、
前記移動機構は、前記ステープル位置選択手段で選択された前記組み合わせに応じて、前記ステープル手段を移動させることを特徴とする請求項１記載の画像形成装置。
【請求項３】
前記画像処理手段は、前記ステープル位置選択手段で選択される前記ステープル位置と前記ステープル手段での前記所定位置とが合致するように、前記画像データに画像回転処理を施すことを特徴とする請求項２記載の画像形成装置。
【請求項４】
前記画像処理手段は、前記ステープル手段での前記所定位置と前記ステープル位置選択手段で選択される前記ステープル位置とが合致するように、前記画像データを１８０度回転させる画像回転処理を施すことを特徴とする請求項３記載の画像形成装置。
【請求項５】
前記画像処理手段は、前記ステープル位置選択手段で選択される前記ステープル位置と前記ステープル手段での前記所定位置とが合致するように、前記画像データを＋９０度または−９０度回転させる画像回転処理を施すことを特徴とする請求項３または請求項４のいずれかに記載の画像形成装置。
【請求項６】
画像面を上面にして載置された原稿を自動で給紙する自動原稿給紙手段と、
前記自動原稿給紙手段により給紙された原稿の画像を読み取って画像データを生成する画像読み取り手段と、を有し、
前記画像処理手段は、前記画像読み取り手段により読み取られた画像データに画像処理を施すことを特徴とする請求項１乃至請求項５のいずれかに記載の画像形成装置。
【請求項７】
画像面を上面にして載置された原稿を自動で給紙する自動原稿給紙手段と、
前記自動原稿給紙手段により給紙された原稿の画像を読み取って画像データを生成する画像読み取り手段と、を有し、
記録する画像の向きに合致した転写材を給紙するための制御手段と、を備え、
前記制御手段は、前記画像処理手段が＋９０度または−９０度回転させる画像回転処理を施す際には、前記原稿の方向とは９０度異なる方向の転写材を給紙するよう制御することを特徴とする請求項５記載の画像形成装置。
【請求項８】
画像面を上面にして載置された原稿を自動で給紙する自動原稿給紙手段と、
前記自動原稿給紙手段により給紙された原稿の画像を読み取って画像データを生成する画像読み取り手段と、
記録する画像の向きに合致した転写材を給紙するための制御手段と、を備え、
前記画像処理手段は、前記ステープル手段での前記所定位置と前記ステープル位置選択手段で選択される前記ステープル位置とが合致するように、前記画像データを１８０度，＋９０度，または−９０度回転させる画像回転処理を施し、
前記制御手段は、前記画像処理手段で＋９０度または−９０度回転させる画像回転処理を施す際には前記原稿の方向とは９０度異なる方向の転写材を給紙するよう制御し、前記画像処理手段で１８０度回転させる画像回転処理を施す際には前記原稿の方向と同じ方向の転写材を給紙するよう制御することを特徴とする請求項３記載の画像形成装置。
【請求項９】
画像データを受けて画像を形成する画像形成装置であって、
前記画像処理手段は、受けた画像データに画像処理を行うことを特徴とする請求項１乃至請求項５のいずれかに記載の画像形成装置。
【請求項１０】
前記ステープル位置選択手段は、載置された原稿に対して所望のステープル位置を示す複数の絵文字を表示するものであり、前記複数の絵文字の選択によりステープル位置の選択がなされることを特徴とする請求項１乃至請求項９のいずれかに記載の画像形成装置。
【発明の詳細な説明】
【０００１】
【発明の属する技術分野】
本発明は画像形成装置に関し、さらに詳しくは、ステープル仕上げを行う後処理手段（フィニッシャ）を備えた画像形成装置に関する。
【０００２】
【従来の技術】
複写機などの画像形成装置において複数枚の原稿を画像形成した場合に、コピー１部毎に丁合してステープルにより綴じ合わせる（ステープル仕上げする）ことがある。
【０００３】
このような場合、画像形成装置本体に隣接して後処理手段（フィニッシャ）を配置し、画像形成装置本体から排出された転写材をフィニッシャが受け入れ、このフィニッシャがステープル仕上げを行っている。
【０００４】
【発明が解決しようとする課題】
このようなステープル仕上げを行う場合、１ヶ所止め（角打ち）では原稿の４隅のいずれかが指定さることになり、また、２ヶ所止め（横打ち）では原稿の４辺のいずれかが指定されることになる。
【０００５】
このようなユーザからのステープル位置の指定に対応するためには、フィニッシャにおいて、転写材の４隅あるいは４辺のいずれの箇所に対してもステープル仕上げが可能なように構成する必要がある。すなわち、１ヶ所あるいは１辺（片端部）のステープル仕上げにしか対応していないフィニッシャでは、ユーザが所望のステープル位置を指定することはできなかった。
【０００６】
このように転写材の４隅あるいは４辺のいずれの位置にでもステープル仕上げができるようにするには、ステープル機構の構成が複雑化し、装置が高価になるという問題を有している。
【０００７】
また、自動原稿読み取り手段（ＡＤＦ）上に載置された原稿に対して、どの位置にステープルするかという選択について、視覚的に容易に理解して選択可能な画像形成装置は存在していなかった。
【０００８】
本発明はこのような課題に鑑みてなされたものであって、第１の目的は、簡易な構成で、転写材の４隅あるいは４辺のいずれの位置にでもステープル仕上げができる画像形成装置を実現することである。
【０００９】
また、第２の目的は、自動原稿読み取り手段（ＡＤＦ）上に載置された原稿に対して、どの位置にステープルするかの選択について、視覚的に容易に理解して選択可能な画像形成装置を実現することである。
【００１０】
【課題を解決するための手段】
すなわち、前記した課題を解決する本発明は、以下の通りである。
（１）請求項１記載の発明は、ランドスケープ原稿およびポートレート原稿を対にし、それらに対する１カ所止めおよび２カ所止めのステープル位置につき、複数の組み合わせを表示する表示手段と、前記複数の組み合わせの中から所望のステープル位置となる組み合わせを選択するステープル位置選択手段と、載置された原稿のサイズを検知する原稿サイズ検知手段と、前記原稿サイズ検知手段により検知された原稿のサイズに応じて転写材を選択する転写材選択手段と、前記ステープル位置選択手段で選択された前記組み合わせ、および前記選択された転写材に応じて画像データに画像処理を施す画像処理手段と、前記画像処理手段により画像処理が施された画像データに基づいて前記転写材に画像を形成する画像形成手段と、前記ステープル位置選択手段で選択された前記組み合わせに基づいて前記転写材に所定位置でステープルするステープル手段と、を有し、前記画像処理手段は、前記ステープル位置選択手段で選択される前記ステープル位置と前記ステープル手段での前記所定位置とが合致するように、前記画像データに画像処理を施すことを特徴とする。
（２）請求項２記載の発明は、上記（１）の前記ステープル手段は、前記転写材のいずれかの片端部にのみステープルするものであり、前記画像形成装置は、さらに、前記ステープル手段を前記片端部に沿った方向に移動させる移動機構を有し、前記移動機構は、前記ステープル位置選択手段で選択された前記組み合わせに応じて、前記ステープル手段を移動させることを特徴とする。
【００１１】
（３）請求項３記載の発明は、上記（２）の前記画像処理手段は、前記ステープル位置選択手段で選択される前記ステープル位置と前記ステープル手段での前記所定位置とが合致するように、前記画像データに画像回転処理を施すことを特徴とする。
【００１２】
ここで、ステープル手段がステープルする所定位置と選択されたステープル位置とが合致するような画像処理とは、転写材上の画像の向きを調整することで、選択された転写材のステープル位置を、ステープル手段がステープルする位置に合わせることを意味する。
【００１３】
この発明では、ステープル位置選択手段で選択された転写材に対するステープル位置と、ステープル手段のステープル可能な位置（ステープル手段での所定位置）とを合致させるように画像処理手段が画像処理を施している。
【００１４】
この結果、ステープル手段は簡易な構成で、転写材の４隅あるいは４辺のいずれの位置にでもステープル仕上げができるようになる。
【００１５】
（４）請求項４記載の発明は、前記画像処理手段は、前記ステープル手段での前記所定位置と前記ステープル位置選択手段が選択するステープル位置とが合致するように１８０度回転の画像回転処理を施すことを特徴とする。
【００１７】
この発明では、ステープル位置選択手段で選択された転写材に対するステープル位置と、ステープル手段のステープル可能な位置（ステープル手段の所定位置）とが合致するように、１８０度回転の画像回転処理を画像処理手段が施している。
【００１８】
すなわち、１８０度回転の画像回転処理で転写材上の画像の向きを調整することで、選択された転写材に対するステープル位置を、ステープル手段がステープルする位置に合わせている。
【００１９】
この結果、ステープル手段は簡易な構成で、転写材の４隅あるいは４辺のいずれの位置にでもステープル仕上げができるようになる。
【００２０】
（５）請求項５記載の発明は、前記画像処理手段は、前記ステープル位置選択手段で選択される前記ステープル位置と前記ステープル手段での前記所定位置とが合致するように、前記画像データを＋９０度または−９０度回転させる画像回転処理を施す、ことを特徴とする。
【００２１】
（７）請求項７記載の発明は、画像面を上面にして載置された原稿を自動で給紙する自動原稿給紙手段と、前記自動原稿給紙手段により給紙された原稿の画像を読み取って画像データを生成する画像読み取り手段と、を有し、記録する画像の向きに合致した転写材を給紙するための制御手段と、を備え、前記制御手段は、前記画像処理手段での＋９０度回転または−９０度回転させる画像回転処理を施す際には、前記原稿の方向とは９０度異なる方向の転写材を給紙するよう制御する、ことを特徴とする。
【００２２】
この発明では、ステープル位置選択手段で選択された転写材に対するステープル位置と、ステープル手段のステープル可能な位置（ステープル手段での所定位置）とが合致するように、−９０度回転，＋９０度回転のいずれかの画像回転処理を施している。なお、−９０度回転と＋９０度回転の画像回転処理の際には、制御手段が、原稿方向とは９０度異なる方向の転写材を画像形成手段に供給している。
【００２３】
すなわち、このような画像回転処理と転写材供給制御とにより転写材上の画像の向きを調整することで、選択された転写材に対するステープル位置を、ステープル手段がステープルする位置に合わせている。
【００２４】
この結果、ステープル手段は簡易な構成で、転写材の４隅あるいは４辺のいずれの位置にでもステープル仕上げができるようになる。
【００２５】
（８）請求項８記載の発明は、画像面を上面にして載置された原稿を自動で給紙する自動原稿給紙手段と、前記自動原稿給紙手段により給紙された原稿の画像を読み取って画像データを生成する画像読み取り手段と、記録する画像の向きに合致した転写材を給紙するための制御手段とを備え、前記画像処理手段は、前記ステープル手段での前記所定位置と前記ステープル位置選択手段が選択するステープル位置とが合致するように、１８０度回転，＋９０度回転または−９０度回転の画像回転処理を施し、前記制御手段は、前記画像処理手段での−９０度回転と＋９０度回転の画像回転処理の際には原稿方向とは９０度異なる方向の転写材を給紙し、１８０度回転の画像回転処理の際には原稿方向と同じ方向の転写材を給紙するよう制御する、ことを特徴とする。
【００２７】
この発明では、ステープル位置選択手段で選択された転写材に対するステープル位置と、ステープル手段のステープル可能な位置（ステープル手段での所定位置）とが合致するように、−９０度回転，＋９０度回転，１８０度回転のいずれかの画像回転処理を施している。なお、−９０度回転と＋９０度回転の画像回転処理の際には、制御手段が、原稿方向とは９０度異なる方向の転写材を画像形成手段に供給している。
【００２８】
すなわち、このような画像回転処理と転写材供給制御とにより転写材上の画像の向きを調整することで、選択された転写材に対するステープル位置を、ステープル手段がステープルする位置に合わせている。
【００２９】
この結果、ステープル手段は簡易な構成で、転写材の４隅あるいは４辺のいずれの位置にでもステープル仕上げができるようになる。
【００３０】
（１０）請求項１０記載の発明は、前記ステープル位置選択手段は、載置された原稿に対して所望のステープル位置を示す複数の絵文字を表示するものであり、前記複数の絵文字の選択によりステープル位置の選択がなされることを特徴とする。
【００３２】
この発明では、ステープル位置選択手段が、載置された原稿（用紙の向き、原稿の文字の向き）に対して所望のステープル位置を複数の絵文字の選択肢として表示しており、これら複数の絵文字のいずれかが選択されることでステープル位置の選択がなされる。
【００３３】
このようにすることで、自動原稿読み取り手段上に載置された原稿に対して、どの位置にステープルするかの選択について、原稿と絵文字の表示とを見比べながら、視覚的に容易に理解して選択することが可能になる。
なお、以上の発明は、画像面を上面にして載置された原稿を自動で給紙する自動原稿給紙手段と、前記自動原稿給紙手段により給紙された原稿の画像を読み取って画像データを生成する画像読み取り手段と、を有する画像形成装置に適用可能である。また、前記画像処理手段は、前記画像読み取り手段により読み取られた画像データに画像処理を施す、あるいは、受けた画像データに画像処理を行う、ことができる。
【００３４】
【発明の実施の形態】
以下、図面を参照して本発明の実施の形態例を詳細に説明する。
図１は本発明の実施の形態の画像形成装置の電気的構成例を示すブロック図である。
【００３５】
この図１において、１０は自動原稿給紙手段（以下、ＡＤＦと言う）であって、載置された原稿を後述する画像読み取り部に自動で給紙する手段であり、さらに、原稿の表裏を反転させて、原稿の裏面の画像を画像読み取り部に給紙する手段である。なお、このＡＤＦ１０は、原稿の片面（表面）を画像読み取り部に自動給紙した後に排出させることも可能である。
【００３６】
２０は原稿を読み取って画像データを生成する画像読み取り部である。５０は読み取られた画像データを転写材ｐ上に記録する画像形成部である。７０は仕分けやステープル仕上げなどを行う後処理手段としてのフィニッシャである。
【００３７】
１１０はコピー枚数、拡大・縮小率、転写材（Ａ４，Ａ４Ｒ，Ｂ５，Ｂ５Ｒ）などの選択や指定を行なう操作部、１２０は操作部１１０から選択や指定の操作から解析して操作モードを決定するモード解析部、１２１は読み取り制御や記録制御の際に必要になる管理データを保持する管理データ保持部である。
【００３８】
１３０はＡＤＦ１０の動作を制御するＡＤＦ制御部、１４０はモード解析部１２０の解析結果を受けて読み取った原稿の画像処理の制御を行なう読み取り制御部、１５０はモード解析部１２０の解析結果を受けて記録制御を行なう記録制御部である。
【００３９】
１６０はモード解析部１２０の解析結果を受けてフィニッシャ７０の制御を行うフィニッシャ制御部である。
１７０は画像読み取り部２０から画像データを受けて読み取った画像の処理を行なう読み取り画像処理部、１８０は読み取り画像処理部１７０で画像処理された画像データを記憶する画像メモリ、１９０は画像メモリ１８０から読み出された画像を記録（画像形成）するための画像処理を行なう記録画像処理部である。
【００４０】
図２は本発明の複写機の断面構成を示す構成図である。この図２において、原稿の両面読み取りが可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転される。
【００４１】
この時、光源２３により原稿ｄの原稿面が照射され、その反射光がミラー２４，２５，２６を介して結像光学系２７を介して光電変換手段であるＣＣＤ２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。
【００４２】
この図において、原稿ｄがプラテンガラス２１上に読み取り面を下に向けた状態に載置された場合には、光学系はプラテンガラス２１に沿って走査して読み取りを行う。
【００４３】
また、原稿ｄが自動給紙されてローラ１３の周囲を回る場合には、第２のプラテンガラス２２下に光源２３とミラー２４とが固定された状態で読み取りを行う。そして、読み取られた原稿ｄの画像データは、ＣＣＤ２８から図示しない読み取り画像処理部１７０に送られる。
【００４４】
なお、原稿ｄがＡＤＦ１０により自動給紙される場合には、原稿ｄの１ページ目が読み取られると、今度は反転ローラ１４を介して再度ローラ１３を用いた巻き取り操作が行われ、原稿裏面の画像が画像読み取り部２０で読み取られ、読み取り画像処理部１７０に送られる。
【００４５】
このようにして、表面と裏面との画像が読み取られた原稿ｄは、再度反転ローラ１４で反転されて、表面を下に向けた状態で排紙皿１６に積載されていく。
このようにして画像読み取り部２０で読み取られた画像データは、読み取り画像処理部１７０で所定の画像処理が行なわれた後、画像メモリ１８０に記憶される。
【００４６】
一方、転写紙（転写材）が積載されている給紙カセット３０ａ又は３０ｂから転写材ｐが繰り出され、画像形成部５０に給送される。画像形成部５０に給送される転写材ｐはその入口のレジストローラで同期がとられた後、感光体ドラム５１により近接する。
【００４７】
なお、原稿を載置したとき、原稿を搬送しているとき、あるいは、原稿の画像を読み取っているときに原稿のサイズを検知し、複数の給紙カセットの中から、検知した原稿のサイズ（拡大または縮小設定など変倍時には、変倍率を乗じた後の転写紙サイズ）に合致する転写紙を収納した給紙カセットを選択し、転写紙を給紙するオートペーパーセレクト（ＡＰＳ）の機能を有していてもよい。このＡＰＳ機能を機能させた場合には、その機能に従って適した転写材ｐが繰り出されて給送される。
【００４８】
記録画像処理部１９０から画像書き込み部４０に入力される画像データは、図３以降に示すように、各原稿の裏面から先に読み出される。そして、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００４９】
このトナー像は感光体ドラム５１の下部の転写部５４により転写材ｐに転写される。そして、感光体ドラム５１に圧着されている転写材ｐは分離部５５により分離される。感光体ドラム５１から分離された転写材ｐは搬送機構５７を介して定着部５８に入り、トナー像が熱と圧力とにより定着される。このようにして、転写材ｐに裏面の画像（第２頁目画像）が形成される。
【００５０】
トナー像が定着された転写材ｐは、ガイド６１を介して下方に搬送され、反転部６３に入る。次に、反転部６３に入っている転写材ｐは、反転ローラ６２により再度繰り出され、反転搬送路６４を経由して再度画像形成部５０に送られる。前記原稿ｄの裏面の画像形成が終了した画像形成部５０では、感光体ドラム５１に付着したトナーがクリーニング部５６で除去され、続く帯電部５２により帯電させられ、次の画像形成に備えている。
【００５１】
この状態で転写材ｐの表面（未だ画像形成されていない面）が画像形成部５０に搬入され、表面の画像（第１頁目画像）が形成される。分離部５５で感光体ドラム５１から分離された転写材ｐは搬送機構５７を介して再度定着部５８に入って定着される。
【００５２】
このように、裏面と表面との画像形成が完了した転写材ｐは、後述するフィニッシャ７０での出力形態に合わせ、そのまま、もしくは、再度反転部６３で反転されて排出ローラ６５により機外（後述するフィニッシャ）に排出される。
【００５３】
ここで、画像メモリ１８０における書き込み（write）と読み出し（read）とについて、読み出し順序を変更する様子を図３乃至図５を参照して説明する。
ＡＤＦ１０では原稿の第１枚目表面、第１枚目裏面、第２枚目表面、第２枚目裏面、…の順に読み取りが行われる。このような読み取りによって生成された画像データ（第１頁目画像データ、第２頁目画像データ、第３頁目画像データ、第４頁目画像データ、…）は、図３左欄Writeに示すように順次画像メモリ１８０に書き込まれる。
【００５４】
そして、図３右欄Readに示すように、第２頁目画像データ、第１頁目画像データ、第４頁目画像データ、第３頁目画像データ、…の順に画像データが読み出される。すなわち、原稿の第１枚目裏面、第１枚目表面、第２枚目裏面、第２枚目表面、…の順に画像データが読み出される。
【００５５】
なお、画像形成装置の搬送経路長と転写材のサイズとによっては、１度に３枚の転写材の裏を画像形成し、その後に３枚の転写材の表を画像形成することも可能である。この場合には、図４に示すように、読み取りによって生成された画像データ（第１頁目画像データ、第２頁目画像データ、第３頁目画像データ、第４頁目画像データ、…）を図４左欄Writeに示すように順次画像メモリ１８０に書き込んでおき、図４右欄Readに示すように、第２頁目画像データ、第４頁目画像データ、第６頁目画像データ、第１頁目画像データ、第３頁目画像データ、第５頁目画像データ、の順に画像データを読み出す。すなわち、原稿の３枚分の裏面、原稿の３枚分の表面の順に画像データが読み出される。なお、ｎ枚毎に裏と表を画像形成する場合には、２ｎ枚分の領域ブロックを備えた画像メモリ１８０を用意すればよい。
【００５６】
また、このように３枚分の裏面と表面とを交互に読み出す場合には、図５に示すように、画像メモリ１８０を２つのメモリバンク１８１と１８２とに分割しておいて、２つのメモリバンクを交互に使用することで待ち時間を少なくすることができる。すなわち、いずれか一方のメモリバンクに書き込みを行っているときに他方のメモリバンクから読み出すことが可能になる。
【００５７】
なお、書き込み領域を変更して、先頭領域から順次読み出すようにしても、以上の図３〜図５と同様の動作をさせることが可能である。ここで、画像メモリ１８０における書き込み（write）と読み出し（read）とについて、書き込み順序を変更する様子を図６乃至図８を参照して説明する。
【００５８】
ＡＤＦ１０では原稿の第１枚目表面、第１枚目裏面、第２枚目表面、第２枚目裏面、…の順に読み取りが行われる。このような読み取りによって生成された画像データは、図６左欄Writeに示すように、２番目の領域ブロックに第１頁目画像データ、１番目の領域ブロックに第２頁目画像データ、４番目の領域ブロックに第３頁目画像データ、３番目の領域ブロックに第４頁目画像データ、…のように画像メモリ１８０に書き込まれる。
【００５９】
そして、図６右欄Readに示すように、先頭アドレスから順に読み出すことで、第２頁目画像データ、第１頁目画像データ、第４頁目画像データ、第３頁目画像データ、…の順に画像データが読み出される。すなわち、原稿の第１枚目裏面、第１枚目表面、第２枚目裏面、第２枚目表面、…の順に画像データが読み出される。
【００６０】
なお、画像形成装置の搬送経路長と転写材のサイズとによっては、１度に３枚の転写材の裏を画像形成し、その後に３枚の転写材の表を画像形成することも可能である。この場合には、図７に示すように行う。
【００６１】
すなわち、読み取りによって生成された画像データは、図７左欄Writeに示すように、４番目の領域ブロックに第１頁目画像データ、１番目の領域ブロックに第２頁目画像データ、５番目の領域ブロックに第３頁目画像データ、２番目の領域ブロックに第４頁目画像データ、６番目の領域ブロックに第５頁目画像データ、３番目の領域ブロックに第６頁目画像データ、のように画像メモリ１８０に書き込まれる。
【００６２】
そして、図７右欄Readに示すように、先頭アドレスから順に読み出すことで、第２頁目画像データ、第４頁目画像データ、第６頁目画像データ、第１頁目画像データ、第３頁目画像データ、第５頁目画像データ、の順に画像データが読み出される。すなわち、原稿の３枚分の裏面、原稿の３枚分の表面の順に画像データが読み出される。
【００６３】
また、このように３枚分の裏面と表面とを交互に読み出す場合には、図８に示すように、画像メモリ１８０を２つのメモリバンク１８１と１８２とに分割しておいて、２つのメモリバンクを交互に使用することで待ち時間を少なくすることができる。すなわち、いずれか一方のメモリバンクに書き込みを行っているときに他方のメモリバンクから読み出すことが可能になる。
【００６４】
なお、以上の図６〜図８のように画像メモリ１８０に対する書き込みの順序を変更して、アドレス順に読み出す手法は、読み出しを通常通りに行うことができるため、画像形成速度を速めることが可能になるという点で好ましい。
【００６５】
ここで図９を参照して、原稿の裏面，表面の順に画像形成する装置の動作について、フィニッシャ７０の動作と共に説明する。
給紙カセット３０ａから転写材ｐが繰り出され、画像形成部５０に給送される（図９（１））。記録画像処理部１９０から画像書き込み部４０に入力される画像データは、図３に示したように各原稿の裏面から先に読み出される。したがって、転写材ｐの裏面に原稿第２頁目（原稿第１枚目の裏面）の画像が形成される（図９（２））。
【００６６】
転写材ｐはガイド６１を介して下方に搬送され（図９（３））、反転部６３に入る（図９（４））。次に、反転部６３に入っている転写材ｐは反転ローラ６２により再度繰り出され（図９（５））、反転搬送路６４を経由して（図９（６））再度画像形成部５０に送られる（図９（７））。この状態で転写材ｐの表面（未だ画像形成されていない面）が画像形成部５０に搬入され、原稿第１頁目（原稿第１枚目の表面）の画像が形成される（図９（８））。このように、裏面と表面との画像形成が完了した転写材ｐは、表面を上に向けた状態で、フィニッシャ７０に向けて排出される（図９（９））。
【００６７】
そして、フィニッシャ７０のローラ７１を介し、ガイド７１により反転搬送ドラム７３方向に搬送され、反転搬送ドラム７３に転写材ｐが巻き付いて反転される。すなわち、転写材ｐの表面が下向きにされて、載置部７４上に載置される。このような動作を順次行なっていくと、載置部７４には、表面が下になった転写材ｐが順に積載されていく。そして、ステープル手段７５により、コピー１部毎に丁合して針７５ａにより綴じ合わせて、排紙トレイ７６ｂに排出する。
【００６８】
なお、反転搬送ドラム７３を使用せずに、そのままの状態で排紙トレイ７６ａに排出する場合には、図１０に示すように、両面の画像形成が完了（図１０（１〜  （８）））した転写材ｐはガイド６１を介して下方に搬送され（図１０（９））、反転部６３に入る（図１０（１０））。そして、反転部６３に入っている転写材ｐは反転ローラ６２により再度繰り出され（図１０（１１））、上方に向かって搬送されてガイド６１を介して機外に排出される（図１０（１２））。したがって、排紙トレイ７６ａには、表面が下になった転写材ｐが順に積載されていく。
【００６９】
ここで、反転搬送ドラム７３により反転された転写材ｐがステープル仕上げされる様子を図１１を参照して説明する。
ガイド７２を介して反転搬送ドラム７３に向かった転写材ｐは、反転搬送ドラム７３周囲に設けられたグリップ７３ａに把持される（図１１（ａ））。そして、転写材ｐはグリップ７３ａに把持された状態で、反転搬送ドラム７３の回転に伴って反転搬送ドラム７３に沿った状態で搬送される。そして、転写材ｐはステープル手段７５の付き当て面などに当接して反転搬送ドラム７３から剥離し、それまで上向きだった表面を下向きにして載置される（図１１（ｂ））。原稿最終頁に相当する転写材ｐがこのように反転搬送された時点で、ステープル手段７５から針７５ａが打ち込まれる。そして、排出アーム７７により、綴じ合わされた転写材ｐが排紙トレイ７６ｂ上に排出される。
【００７０】
なお、ステープル手段７５におけるステープル位置を図１２に示す。図１２（ａ）はステープル手段７５と反転搬送ドラム７３の側面から様子を示しており、この図１２（ａ）のＡ−Ａ′断面を図１２（ｂ）に示す。ここで、７５ｂは針７５ａを打ち込む際の開口部を模式的に示している。
【００７１】
このステープル手段７５は、転写材のいずれかの片端部のみにステープルする機能を備えたもので、この場合、図１２（ｂ）のＡ位置もしくはＢ位置が１ヶ所止め（角打ち）の位置であり、図１２（ｂ）のＣ位置が２ヶ所止め（横打ち）の位置である。なお、このような位置に針７５ａを打ち込むために、打ち込み機構は直線移動＋首振り機構、または、７５ｂの形状のレールに沿って移動、のいずれかであることを必要とする。
【００７２】
ここで、操作部１１０におけるアイコン（絵文字）の表示及び選択について説明する。
操作部１１０は各種画像やアイコンが表示可能な表示手段（液晶ディスプレイなど）と、その表面に設けられた透明なタッチパネルなどで構成されている。したがって、表示されたアイコン部分にユーザが触れることで、アイコンに該当するモードや項目が選択されるようになっている。
【００７３】
フィニッシャ７０の動作モードとして、図１３に示すような表示が操作部１１０になされていて、排紙トレイの選択、グループ，フェイスアップ，ソート，ステープルのいずれかの選択、ステープル設定、が選択，設定可能なように構成されており、キャンセルでやり直し、ＯＫで確定する。
【００７４】
ここで、図１３のステープル設定のアイコンが選択されたとすると、操作部１１０には図１４のような、ステープル位置選択手段を構成するステープル位置の選択画面が表示される。このステープル位置の選択画面では、転写材ｐに対するステープル位置を選択することができる。
【００７５】
ここで、ユーザはＡＤＦ１０の原稿載置部１１上の原稿と操作部１１０のアイコンとを見比べて、原稿の載置方向と文字の方向に合わせて、所望のステープル位置を視覚的に理解しつつ選択できる。
【００７６】
ここで所望のステープル位置とは、１ヶ所止め（角打ち）では原稿の４隅のいずれかの位置であり、２ヶ所止め（横打ち）では原稿の４辺のいずれかの位置である。
【００７７】
また、この図１４では、１ヶ所止めについて、ポートレート原稿とランドスケープ原稿とを示しており、８パターンのアイコンを示している。ただし、原稿上の文字に対するステープル位置（通常向きの文字の左上，通常向きの文字の右上，逆向きの文字の左上，逆向きの文字の右上）の４パターンに分けている。
【００７８】
そして、この図１４では、２ヶ所止めについて、ポートレート原稿とランドスケープ原稿とを示しており、８パターンのアイコンを示している。ただし、原稿上の文字に対するステープル位置（通常向きの文字の左横，通常向きの文字の上，逆向きの文字の左，逆向きの文字の上）の４パターンに分けている。
【００７９】
このように分類することで、ユーザが原稿上の文字に対してどの位置にステープルを施したいかによって、視覚的に把握しつつ容易に選択操作を行うことが可能になる。
【００８０】
図１５は操作部１１０で図１４のように選択された任意のステープル位置に基づいて、図１２のように転写材の片端部のみにステープルする機能を備えたステープル手段７５でステープル仕上げする際の画像処理の様子を示している。ここでは、２つ並んだ図形の左欄が選択されたステープル位置を示し、右欄が画像メモリ１８０から読み出される画像データに施される画像回転処理の様子を示している。
【００８１】
すなわち、選択されたステープル位置は原稿の４隅あるいは４辺のいずれかであるが、実際にステープルするのは転写材の片端部のみであるので、画像回転処理を施すことで、選択されたステープル位置を実行可能なステープル仕上げ位置に合致させるようにしている。
【００８２】
たとえば、図１２のステープル手段が、原稿載置部１１上の原稿の左側端部に相当する位置のみに、１ヶ所止めまたは２ヶ所止めのステープル仕上げをすることが可能であるとする。
【００８３】
この場合、図１４の１ヶ所止めの最上段（通常向きの文字の左上）が選択された場合には、図１５（ａ）または図１５（ｂ）に示すように、同じ向きの転写材に対して画像回転処理を施さない状態で画像形成を行い、ステープル仕上げを行う。
【００８４】
図１４の１ヶ所止めの２段目（通常向きの文字の右上）が選択された場合には、図１５（ｃ）または図１５（ｄ）に示すように、同じ向きの転写材に対して１８０度の画像回転処理を施した状態で画像形成を行い、ステープル仕上げを行う。これにより、選択されたステープル位置を実行可能なステープル仕上げ位置に合致させている。
【００８５】
図１４の１ヶ所止めの３段目（逆向きの文字の右下）が選択された場合には、図１５（ｅ）または図１５（ｆ）に示すように、同じ向きの転写材に対して１８０度の画像回転処理を施した状態で画像形成を行い、ステープル仕上げを行う。これにより、選択されたステープル位置を実行可能なステープル仕上げ位置に合致させている。
【００８６】
図１４の１ヶ所止めの最下段（逆向きの文字の左下）が選択された場合には、図１５（ｇ）または図１５（ｈ）に示すように、同じ向きの転写材に対して画像回転処理を施さない状態で画像形成を行い、ステープル仕上げを行う。
【００８７】
また、図１４の２ヶ所止めの最上段（通常向きの文字の左横）が選択された場合には、図１６（ａ）または図１６（ｂ）に示すように、同じ向きの転写材に対して画像回転処理を施さない状態で画像形成を行い、ステープル仕上げを行う。
【００８８】
図１４の２ヶ所止めの２段目（通常向きの文字の上）が選択された場合には、図１６（ｃ）または図１６（ｄ）に示すように、原稿と異なる向きの転写材に対して−９０度の画像回転処理を施した状態で画像形成を行い、ステープル仕上げを行う。これにより、選択されたステープル位置を実行可能なステープル仕上げ位置に合致させている。
【００８９】
図１４の２ヶ所止めの３段目（逆向きの文字の右横）が選択された場合には、図１６（ｅ）または図１６（ｆ）に示すように、同じ向きの転写材に対して１８０度の画像回転処理を施した状態で画像形成を行い、ステープル仕上げを行う。これにより、選択されたステープル位置を実行可能なステープル仕上げ位置に合致させている。
【００９０】
図１４の２ヶ所止めの最下段（逆向きの文字の下）が選択された場合には、図１６（ｇ）または図１６（ｈ）に示すように、原稿と異なる向きの転写材に対して＋９０度の画像回転処理を施した状態で画像形成を行い、ステープル仕上げを行う。これにより、選択されたステープル位置を実行可能なステープル仕上げ位置に合致させている。
【００９１】
なお、実際のステープル仕上げ位置が上述した場合と異なる位置であれば、そのステープル仕上げ位置に合せて画像回転処理を変更すればよい。また、以上のような画像回転処理は、操作部１１０からの選択を受けたモード解析部１２０の指示により、読み取り制御部１４０あるいは記録制御部１５０が制御を行い、読み取り画像処理部１７０あるいは記録画像処理部１９０のいずれかが行えばよい。
【００９２】
また、以上の場合の転写材ｐの選択に関しては、つぎに述べるようにして行えばよい。
まず、原稿の画像に対して＋９０度または−９０度の画像回転処理の際には、モード解析部１２０から図示されない制御部に信号が伝達され、該制御部により複数の給紙カセットの中から記録画像の向きに合致（一致）した所望の転写材が収納されている給紙カセットが選択され、該カセットから転写材が繰り出されて給送される。ここで、ＡＰＳ機能を機能させた場合、±９０度の画像回転処理をする際は、記録画像の向きに合致した転写材は、ＡＰＳで選択されている転写材とは異なったものになる。すなわち、ＡＰＳでＡ４Ｒが選択されていても、Ａ４を選択して給紙する。
【００９３】
また、原稿の画像に対して１８０度の画像回転処理の際、あるいは回転をさせない場合には、モード解析部１２０から図示されない制御部に信号が伝達され、該制御部により複数の給紙カセットの中から記録画像の向きに合致（一致）した所望の転写材が収納されている給紙カセットが選択され、該カセットから転写材が繰り出されて給送される。ここで、ＡＰＳ機能を機能させた場合、１８０度の画像回転処理をする際、あるいは回転をさせない場合には、原稿画像の向きに合致した転写材は、ＡＰＳで選択されている転写材と同じものになる。
【００９４】
以上詳細に説明したように画像回転処理を用いることで、転写材の片端部のみにステープル仕上げする簡易な構成で、転写材の４隅あるいは４辺のいずれの位置にでもステープル仕上げができる画像形成装置を実現できる。
【００９５】
また、ＡＤＦ１０上に載置された原稿に対して、どの位置にステープルするかの選択について、操作部１１０のアイコンを参照することで、視覚的に容易に理解して選択可能な画像形成装置を実現できる。
【００９６】
＜その他の実施の形態例＞
上述の実施の形態例では、両面原稿読み取り−両面画像形成の場合を例にとったが、本発明はこれに限るものではない。片面原稿−両面画像形成、両面原稿−片面画像形成等の各種の画像形成モードに設定することができる。この場合、モードの設定は操作部１１０から設定することができる。
【００９７】
また、上述の実施の形態例においては、モノクロ画像形成装置に本発明を適用した場合を例にとったが、本発明はこれに限られるものではなく、カラー画像形成装置にも同様に適用することが可能である。
【００９８】
また、上述した実施の形態例では、自動原稿給紙手段１０や画像読み取り部２０を備えた複写機を例にして説明を行ったが、本発明はこれに限られるものではなく、外部からの画像データを受けるプリンタのような画像形成装置に適用することも可能である。
【００９９】
さらに、以上説明したステープル位置（４隅のいずれか１ヶ所、４辺のいずれか１辺の２ヶ所）以外の位置や、原稿の片端部で３ヶ所以上の複数のステープル位置を選択することも可能であり、そのような選択がなされた場合にも画像回転処理により対応することが可能である。
【０１００】
【発明の効果】
以上、詳細に説明したように、本発明によれば、以下のような効果が得られる。
【０１０１】
（１）以上の発明では、ランドスケープ原稿およびポートレート原稿を対にし、それらに対する１カ所止めおよび２カ所止めのステープル位置につき、複数の組み合わせを表示し、複数の組み合わせの中から所望のステープル位置となる組み合わせを選択し、載置された原稿のサイズを検知して原稿のサイズに応じて転写材を選択し、選択されたステープル位置の組み合わせ、および選択された転写材に応じて画像データに画像処理を施して転写材に画像を形成し、選択されたステープル位置の組み合わせに基づいて転写材に所定位置でステープルする際に、選択されたステープル位置とステープルされる所定位置とが合致するように画像処理を施すことで、原稿上の文字に対してどの位置にステープルを施したいかによって、視覚的に把握しつつ容易に選択操作を行うことが可能になり、ステープル手段は簡易な構成で、転写材の４隅あるいは４辺のいずれの位置にでもステープル仕上げができるようになる。
【０１０２】
（２）以上の発明では、１８０度の画像回転処理で転写材上の画像の向きを調整することで、選択された転写材に対するステープル位置を、ステープル手段がステープルする位置に合わせているので、ステープル手段は簡易な構成で、転写材の４隅あるいは４辺のいずれの位置にでもステープル仕上げができるようになる。
【０１０３】
（３）以上の発明では、ステープル位置選択手段で選択された転写材に対するステープル位置と、ステープル手段のステープル可能な位置（ステープル手段での所定位置）とが合致するように、−９０度回転，＋９０度回転のいずれかの画像回転処理を施している。また、−９０度回転と＋９０度回転の画像回転処理の際には、制御手段が、原稿方向とは９０度異なる方向の転写材を画像形成手段に供給している結果、ステープル手段は簡易な構成で、転写材の４隅あるいは４辺のいずれの位置にでもステープル仕上げができるようになる。
【０１０４】
（４）以上の発明では、ステープル位置選択手段で選択された転写材に対するステープル位置と、ステープル手段のステープル可能な位置（ステープル手段での所定位置）とが合致するように、−９０度回転，＋９０度回転，１８０度回転のいずれかの画像回転処理を施している。また、−９０度回転と＋９０度回転の画像回転処理の際には、制御手段が、原稿方向とは９０度異なる方向の転写材を画像形成手段に供給している結果、ステープル手段は簡易な構成で、転写材の４隅あるいは４辺のいずれの位置にでもステープル仕上げができるようになる。
【０１０５】
（５）以上の発明では、載置された原稿（用紙の向き、原稿の文字の向き）に対して所望のステープル位置を複数の絵文字の選択肢として表示しいるので、自動原稿読み取り手段上に載置された原稿に対して、どの位置にステープルするかの選択について、原稿と絵文字の表示とを見比べながら、視覚的に容易に理解して選択することが可能になる。
【図面の簡単な説明】
【図１】本発明の実施の形態例の画像形成装置の電気的な構成を示す機能ブロック図である。
【図２】本発明の実施の形態例の画像形成装置の機械的な構成を示す構成図である。
【図３】画像メモリの書き込みと読み出しの順序について読み出し順序を変更する場合の一例を示した説明図である。
【図４】画像メモリの書き込みと読み出しの順序について読み出し順序を変更する場合の他の例を示した説明図である。
【図５】画像メモリの書き込みと読み出しの順序について読み出し順序を変更する場合のさらに別の例を示した説明図である。
【図６】画像メモリの書き込みと読み出しの順序について書き込み順序を変更する場合の一例を示した説明図である。
【図７】画像メモリの書き込みと読み出しの順序について書き込み順序を変更する場合の他の例を示した説明図である。
【図８】画像メモリの書き込みと読み出しの順序について書き込み順序を変更する場合のさらに別の例を示した説明図である。
【図９】両面コピーの際の転写材の通紙の様子の一例を示す説明図である。
【図１０】両面コピーの際の転写材の通紙の様子の他の例を示す説明図である。
【図１１】ステープル仕上げの様子の例を示す説明図である。
【図１２】ステープル手段の構成を示す説明図である。
【図１３】操作部におけるフィニッシャモードの選択画面の一例を示す説明図である。
【図１４】操作部におけるステープル位置の選択画面の一例を示す説明図である。
【図１５】選択された１ヶ所止めのステープル位置と画像回転処理の様子の一例を示す説明図である。
【図１６】選択された２ヶ所止めのステープル位置と画像回転処理の様子の一例を示す説明図である。
【符号の説明】
１０  ＡＤＦ（自動原稿給紙手段）
２０  画像読み取り部
３０  給紙部
４０  画像書込み部
５０  画像形成部
６０  反転部
７０  フィニッシャ（後処理手段）
１１０  操作部
１２０  モード解析部
１２１  管理データ保持部
１３０  ＡＤＦ制御部
１４０  読み取り制御部
１５０  記録制御部
１６０  フィニッシャ制御部
１７０  読み取り画像処理部
１８０  画像メモリ
１９０  記録画像処理部
【図１】
0003719015.tif 000002
【図２】
0003719015.tif 000003
【図３】
0003719015.tif 000004
【図４】
0003719015.tif 000005
【図５】
0003719015.tif 000006
【図６】
0003719015.tif 000007
【図７】
0003719015.tif 000008
【図８】
0003719015.tif 000009
【図９】
0003719015.tif 000010
【図１０】
0003719015.tif 000011
【図１１】
0003719015.tif 000012
【図１２】
0003719015.tif 000013
【図１３】
0003719015.tif 000014
【図１４】
0003719015.tif 000015
【図１５】
0003719015.tif 000016
【図１６】
0003719015.tif 000017